(57)【要約】【課題】  計時器（特に、腕時計）が動作している限り、追加のエネルギを必要とせず、そのクロノメトリ性能を損なうことなく、連続的に動作する視覚的なアニメーションを作り出すこと。【解決手段】  アニメーション表示付き機械式計時器。少なくとも地板（２）と、共振器（１１）と、時方輪列（５）によってガンギ車セット（４）に接続されたエネルギ貯蔵および分配手段（３）とを含む、少なくとも１つの機械式ムーブメント（１０）を備えた計時器（１）であって、時方輪列（５）、またはガンギ車セット（４）が属する脱進機構（６）に含まれ、共振器（１１）と協働し、共振器（１１）の動作中に、ぎくしゃくした動作、または往復動作をするホイールセットの少なくとも１つは、共振器（１１）の動作中に、地板（２）の固定点の前に連続して移動し、その上に一連のアニメーション画像を表示するように構成された少なくとも２つの別個の絵またはパターン（８）を含むディスプレイホイールセット（７）である。【選択図】図３
2020085898.tif 000002
【特許請求の範囲】
【請求項１】
少なくとも地板（２）と、共振器（１１）と、時方輪列（５）によってガンギ車セット（４）に接続されたエネルギ貯蔵および分配手段（３）とを含む、少なくとも１つの機械式ムーブメント（１０）を備えた計時器（１）であって、前記時方輪列（５）、または前記ガンギ車セット（４）が属する脱進機構（６）に含まれ、前記共振器（１１）と協働し、前記共振器（１１）の動作中に、ぎくしゃくした動作、または往復動作をするホイールセットの少なくとも１つは、前記共振器（１１）の動作中に、前記地板（２）の固定点の前に連続して移動し、その上に一連のアニメーション画像を表示するように構成された少なくとも２つの別個の絵またはパターン（８）を含むディスプレイホイールセット（７）であることを特徴とする、計時器（１）。
【請求項２】
同じ前記ディスプレイホイールセット（７）の前記絵またはパターン（８）のいくつかは、２次元であり、前記ディスプレイホイールセット（７）の旋回軸に垂直に、実質的に平面的に延びることを特徴とする、請求項１に記載の計時器（１）。
【請求項３】
同じディスプレイホイールセット（７）の前記絵またはパターン（８）のいくつかは、３次元であり、前記ディスプレイホイールセット（７）の旋回軸の方向に少なくとも部分的に延びることを特徴とする、請求項１に記載の計時器（１）。
【請求項４】
前記ディスプレイホイールセット（７）は、前記ディスプレイホイールセット（７）の旋回軸に対して、一定の角度ピッチで、角度的に分布された位置を占有する複数の前記絵またはパターン（８）を含むことを特徴とする、請求項１に記載の計時器（１）。
【請求項５】
前記ディスプレイホイールセット（７）は、前記角度的に分布された位置に、１つの前記絵またはパターン（８）を有することを特徴とする、請求項４に記載の計時器（１）。
【請求項６】
前記ディスプレイホイールセット（７）は、歯を有するホイールセットであり、前記角度的に分布された位置の数は、２つ以上であり、前記ディスプレイホイールセット（７）の歯数の倍数または整数の約数であることを特徴とする、請求項４に記載の計時器（１）。
【請求項７】
前記ディスプレイホイールセット（７）は、歯を有するホイールセットであり、前記角度的に分布された位置の数は、２つ以上であり、前記ディスプレイホイールセット（７）の歯数の倍数または整数の約数の単位とは異なることを特徴とする、請求項４に記載の計時器（１）。
【請求項８】
前記ディスプレイホイールセット（７）は、歯を有するホイールセットであり、前記角度的に分布された位置の数は、２つ以上であり、前記ディスプレイホイールセット（７）の歯数と互いに素であることを特徴とする、請求項４に記載の計時器（１）。
【請求項９】
前記ディスプレイホイールセット（７）の前記絵またはパターン（８）は、前記ディスプレイホイールセット（７）の旋回軸に対して同じ半径方向位置にあることを特徴とする、請求項１に記載の計時器（１）。
【請求項１０】
前記ディスプレイホイールセット（７）は、前記ディスプレイホイールセット（７）の旋回軸に対して、異なる半径方向広がりの絵またはパターン（８）を有することを特徴とする、請求項１に記載の計時器（１）。
【請求項１１】
１つの前記ディスプレイホイールセット（７）は、前記脱進機構（６）に含まれるガンギ車または脱進機間ホイールである、前記ガンギ車セット（４）であることを特徴とする、請求項１に記載の計時器（１）。
【請求項１２】
１つの前記ディスプレイホイールセット（７）は、前記脱進機構（６）に含まれるアンクルレバー（９）であることを特徴とする、請求項１に記載の計時器（１）。
【請求項１３】
前記計時器（１）は、前記絵またはパターンを見るための開口部（１２）、および／または、前記絵またはパターンをシフトおよび／または拡大するための光学手段（１３）、および／または、自然光線または人工光線を、前記絵またはパターンに投影するための手段（１４）、および、前記絵またはパターンを反射させるための手段（１５）を含むことを特徴とする、請求項１に記載の計時器（１）。
【請求項１４】
前記計時器（１）は、前記画像をシフトおよび／または拡大するための少なくとも１つの光ファイババンドルを含む、前記絵またはパターンをシフトおよび／または拡大するための前記光学手段（１３）を含むことを特徴とする、請求項１３に記載の計時器（１）。
【発明の詳細な説明】
【技術分野】
【０００１】
本発明は、少なくとも地板と、共振器と、時方輪列によってガンギ車セットに接続されたエネルギ貯蔵および分配手段とを含む、少なくとも１つの機械式ムーブメントを備えた計時器に関する。
【０００２】
本発明は、計時器、特に、腕時計におけるアニメーション表示の分野に関する。
【背景技術】
【０００３】
時計学の始まり以来、設計者は機械式ムーブメントの通常の動作を使用して、計時器、時計、置時計、そして腕時計に、印象的な機構、オートマトンの動き、または特定の表示の形式で、オーディオまたはビジュアルのアニメーションを追加しようとしている。
【０００４】
ユーザまたは所有者を際立たせることを目的とした計時器のために、このアプローチは現在でも有効である。
【０００５】
繰り返し生じる問題は、動きをより複雑にすることなく、または機械式部品や電子部品を追加することなく、機械式腕時計のユーザに、アニメーションシーケンス、またはフィルムや漫画のタイプの視覚的なシーケンスなどを、どのように提供するかである。
【０００６】
視覚的なアニメーションを作成するためには、所定の場所で、動きの時間的変化を表現する一連の静止画像を生成する必要がある。観察者がスムーズなアニメーションを見るためには、２つの画像間の時間間隔は約１５０ミリ秒未満でなければならない。コントラストを良くするためには、各画像の設定表示時間をできるだけ長くする必要がある。ある画像から別の画像への遷移時間は、できるだけ短くする必要があるが、網膜の持続性の影響を遮るために、必須である。
【０００７】
シネマの初期の全歴史は、フェナキスティスコープ、ゾエトロープ、プラキシノスコープなど、アニメーション画像の原理に基づいた様々なデバイスにリンクされている。より具体的には、ソーマトロープとして知られているデバイスは、２本のワイヤ間のコインなどの回転ディスクのいずれかの側面に、少なくとも２つの絵を含み、これらの２つの絵のおのおのは、情報の一部しか含んでいないので、ディスクが停止すると、観察者は画像全体を見ることができないが、たとえば、２本のワイヤをねじってから引っ張ることによって、ディスクが動作に設定されると、２つの絵の重ね合わせから生じる完全な画像が、観察者に明示され、たとえば、鳥かごに入れられた鳥が、空の鳥かごの第１の絵と、放たれた鳥の第２の絵との視覚的な重ね合わせから生じる。
【０００８】
アニメーション機構は、腕時計にも見られるが、その開始点は、連続的な回転動作であるものの、フィルムを撮るために必要な、ぎくしゃくした動作を作り出すためには、シネマの映写機におけるように、マルタ十字などの機構が必要である。このような機構は、特に１０Ｈｚを超える周波数で高いエネルギを消費するが、これは、ユーザが快適に見ることができる滑らかなフィルムを作るために必要である。
【０００９】
ＣＨＡＪＫＩＮ名義の国際特許出願第２０１３１６２４２３Ａ２号および国際特許出願第２０１３１８７７９８Ａ１号は、このような原理に従った光学機構を開示している。画像が肉眼で見える場合、画像を表示するために実装された機構は、機械式腕時計の基本的な動きのために利用可能なエネルギと比較して、膨大な量のエネルギを必要とする。したがって、アニメーションを機能させるためには、提供および使用されるエネルギのレベルによって制限される期間、プルピースなどに、ユーザによる追加のエネルギ源または動作が必要とされる。さらに、これらの２つのドキュメントでは、アニメーションには基本的な動きに追加する必要がある複雑な機構が必要であるが、これは高価であり、また計時器内部に常に僅かしかない空間を使ってしまう。
【先行技術文献】
【特許文献】
【００１０】
【特許文献１】国際特許出願第２０１３１６２４２３Ａ２号
【特許文献２】国際特許出願第２０１３１８７７９８Ａ１号
【発明の概要】
【発明が解決しようとする課題】
【００１１】
本発明は、計時器（特に、腕時計）が動作している限り、追加のエネルギを必要とせず、そのクロノメトリック性能を損なうことなく、連続的に動作する視覚的なアニメーションを作り出すことを提案する。
【課題を解決するための手段】
【００１２】
本発明はまた、腕時計である特定の場合に、その厚さを増加させず、重くすることなく、可能な限りその機構を変更しないように努めており、既存の機械式腕時計に、本発明を実施することが可能である。
【００１３】
本発明の原理は、ユーザに視覚的なアニメーションを提供するために、機械式ムーブメントのガンギ車の、または中間ホイール／脱進機の、またはたとえばアンクルレバーのような自然にぎくしゃくした動作をする別のホイールセットの間欠動作を使用することにある。
【００１４】
この目的のために、本発明は、請求項１に記載の計時器に関する。
【００１５】
本発明の他の特徴および利点は、添付の図面を参照して以下の詳細な説明を読むと明らかになるであろう。
【図面の簡単な説明】
【００１６】
【図１】図１は、走っている人のアニメーションを形成する７つのグラフィックな絵のシーケンスの概略図である。
【図２】図２は、図１と同様の方式で、関節のある棒でシルエットが構成された、ランナーの動きのブレークダウンを表す図である。
【図３】図３は、２０の歯を備えたガンギ車と、ランナーを表現する３９の絵と、ガンギ車のアームに絵を接続している２つのリングとからなる概略図である。
【図４】図４は、図３の詳細図である。
【図５】図５は、絵と同じ数の放射状アームを含み、絵をホイールハブに接続する別のホイールである、特にガンギ車の詳細図である。
【図６】図６は、図１と同様に、アニメーションが、ホイールの平面から出る動きのシルエットであり、３次元の動きの錯覚を与える、スケータの動きのブレークダウンを表す図である。
【図７】図７は、「ｓｉｇｎａｔｕｒｅ  ｓｅｃｒeｔｅ」というフランス語表現を表示し、その後、徐々に非表示にするために、おのおのがシークレットサインの一部を有する、スポークまたはセクタを有する別のホイールの一部の概略図である。
【図８】図８は、計時器、特に、少なくとも１つのホイールセットが本発明によるアニメーションサポートホイールセットである脱進機構に関連付けられた共振器を備えた機械式ムーブメントを含む腕時計を表現するブロック図であり、この腕時計は、絵を見るための開口部と、絵を拡大するための光学手段と、絵に自然光線または人工光線を投影するための手段と、絵を反射させるための手段とを含む。
【発明を実施するための形態】
【００１７】
本発明は、ユーザに視覚的なアニメーションを提供するために、機械式ムーブメントのガンギ車の、または中間ホイール／脱進機の、または、たとえばアンクルレバーのような自然にぎくしゃくした動作をする別のホイールセットの間欠動作を使用することにある。
【００１８】
この目的のために、以下「ディスプレイホイールセット」と呼ばれる関連するホイールセットは、たとえばシルクスクリーン印刷または同様のプロセス、または、非常に有利には、特に、このホイールセットが、シリコン、酸化シリコン、ＤＬＣなどの微細加工可能な材料で作られている場合、ＤＲＩＥエッチングによって作られた画像の型式のグラフィック表現を含む。これらのグラフィック表現は、アニメーションフィルムの連続した要素を形成する。当然のことながら、より複雑な、または、たとえば、複雑な動作で動いており、ガンギ車上に表現され、往復動作を伴うツールの正面のオブジェクトであり、アンクルレバー上にフィーチャされたハンマーまたは斧を規則的な間隔で示す人のような、動きを組み合わせたアニメーションをユーザに提供するために、いくつかのホイールセット、特に、ガンギ車、アンクルレバー、脱進機間ホイール、またはガンギ車に運動学的に接続された慣性ホイールなど、いくつかの隣接するホイールセットにおいて、このようなアニメーションを作成することが可能である。互いに噛み合う２つのディスプレイホイールセット上のディスプレイは、ダンサーやスケータなどのペアを表現することを可能にし、その動きは異なる周波数を有し、経時的に変化するアニメーションを作成する。
【００１９】
ガンギ車がディスプレイホイールセットとして選択されている場合、ガンギ車の直径が小さいため、アニメーションを肉眼で見るのが難しく、拡大鏡または顕微鏡を用いることでより見易くなり、したがって、この複雑さは、アブラハム  ルイ  ブレゲのようなアンティーク腕時計のシークレットサインの伝統の一部である。
【００２０】
計時器のホイールセット上に十分に小さな絵をエッチングできるマイクロ製造技術の出現により、腕時計のために、マイクロメトリックな絵またはパターンを作成することにより、本発明の工業的な実施を達成することが今後可能となる。
【００２１】
したがって、本発明は、少なくとも１つの機械式ムーブメント１０を備えた計時器１に関する。このムーブメント１０は、少なくとも地板２と、共振器１１と、時方輪列５によってガンギ車セット４に接続されたエネルギ貯蔵および分配手段３とを含む。
【００２２】
本発明によれば、時方輪列５、またはガンギ車セット４が属する脱進機構６に含まれ、共振器１１と協働し、共振器１１の動作中に、ぎくしゃくした動作、または往復動作をするホイールセットの少なくとも１つは、ディスプレイホイールセット７である。このようなディスプレイホイールセット７は、共振器１１の動作中に、地板２の固定点の前に連続して移動し、その上に一連のアニメーション画像を表示するように構成された少なくとも２つの別個の絵またはパターン８を含む。本発明は、ぎくしゃくした動作をするホイールセットによってのみ実施され得ると理解される。
【００２３】
有利な変形例では、ディスプレイホイールセット７は、脱進機構６に含まれるガンギ車であるガンギ車セット４、またはガンギ車に直接係合し、脱進機構６に含まれる脱進機間ホイールである。
【００２４】
別の変形例では、ディスプレイホイールセット７は、脱進機構６に含まれるアンクルレバー９である。
【００２５】
別の変形例において、ディスプレイホイールセット７は、このホイール上に角度的に分布された複数のＮ個の絵８を備えた時方輪列５のホイールであり、これらの絵のおのおのは、アニメーションまたはフィルムを形成する一連の画像のうちの１つの画像からなる。
【００２６】
さらに別の変形例では、ディスプレイホイールセット７は、ガンギ車と直接噛み合い、脱進機構６に含まれる、自由に取り付けられた慣性ホイールである。このような慣性ホイールには運動学的機能はなく、ガンギ車とのみ噛み合い、その機能は、着用中の加速度に対する振動子の感度を制限することであり、振動子は、ガンギ車と同じ慣性を有することが好ましいが、ガンギ車よりも薄くかつ軽くすることができる。これは、振動子が、アニメーションの絵８のために、そして、同じぎくしゃくしたリズムを共有するガンギ車の直径よりも大きな直径にわたって、より大きな表示領域を有することを可能にする。
【００２７】
最も単純な実施形態では、同じディスプレイホイールセット７の絵８のいくつかは、２次元であり、ディスプレイホイールセット７の旋回軸に垂直に、実質的に平面的に延びる。より具体的には、同じディスプレイホイールセット７のすべての絵８は、２次元であり、ディスプレイホイールセット７の旋回軸に垂直に、実質的に平面的に延びる。さらに特に、同じディスプレイホイールセット７のすべての絵８は、同一平面上にある。
【００２８】
別の実施形態では、同じディスプレイホイールセット７の絵８のいくつかは、３次元であり、ディスプレイホイールセット７の旋回軸の方向に少なくとも部分的に延びる。たとえば、薄肉彫りで異なる深さにエッチングされた絵は、特に深さの効果が光学系によって人為的に増幅されてアニメーションの見えが改善される場合、アニメーションの３次元表示を模擬する。
【００２９】
伝統的な機械式腕時計のムーブメントは、一般に、スイスレバー脱進機を含み、以下では、戻り止め脱進機のより珍しいケースが説明される。従来の例では、ｚ＝２０の歯のガンギ車を有し、ｆ＝１０Ｈｚの周波数で動作するスイスレバー脱進機の場合、ガンギ車は、１回転につき２＊ｚ＝４０ステップ移動し、ｄｔ＝１／（２＊ｆ）＝５０ミリ秒ごとに１ステップ移動する。ガンギ車は、約４５ミリ秒静止した後、５ミリ秒間動く。この例では、ディスプレイホイールセット７としてガンギ車４によって描かれた絵８によるアニメーションは、４０の画像で形成され、２秒間持続するだろう。
【００３０】
２＊ｚとは異なる数であるＮ個の画像が、ディスプレイホイールセット７の、特に、ガンギ車４の周囲に配置されている場合、Ｎが、ディスプレイホイールセット７の位置の数よりも大きいか小さいかに応じて、アニメーションは前方または後方に移動することに留意されたい。実際、所定の観察場所において、Ｎ個の画像は、ｄｔ秒ごとに、ｄＡ＝ｓｉｇｎ（ディスプレイホイールセットの平均角速度）＊（３６０°／Ｎ−３６０°／（２＊ｚ））のわずかな角度オフセットで互いに続くであろう。したがって、ＤＡの値は、画像が観察者に対して前方または後方に移動するかに応じて、代数値になる。
【００３１】
正確な位置でアニメーションを見るためのビューイングホール、またはスケルトンの動きを想定して、Ｎ個の異なる場所でアニメーションをＮ回見ることが可能である。つまり、ｚはガンギ車の歯の数であり、ｆは共振器の周波数である。したがって、アニメーションの持続時間はＴ＝ｚ／ｆであり、シーケンス内の画像の数は、Ｎ＝２＊ｚである。時間Ｔの後、アニメーションは繰り返される。
【００３２】
ガンギ車の前にある脱進機間ホイールも便利であり得る。たとえば、８つの歯を有するホイール、４Ｈｚの周波数を有する共振器、および、脱進機間ホイールとガンギ車との間の２．５であるギア減速を有する同軸脱進機の場合、脱進機間ホイールは、５秒間（フィルムの持続時間）で、４０ステップで、１回転する。
【００３３】
ディスプレイホイールセット７は、好ましくは、ディスプレイホイールセット７の旋回軸に対して、一定の角度ピッチで、角度的に配置された位置を占有する複数の絵８を備え、絵８は、Ｎ個の絵のおのおのの間に、３６０°／Ｎの角度で配置される。より具体的には、ディスプレイホイールセット７は、各角度位置に、１つの絵８を有する。
【００３４】
変形例では、ディスプレイホイールセット７は、歯を有するホイールセットであり、角度位置の数は、２つ以上であり、ディスプレイホイールセット７の歯数の倍数または整数の約数である。
【００３５】
別の変形例では、ディスプレイホイールセット７は、歯を有するホイールセットであり、角度位置の数は２つ以上であり、ディスプレイホイールセット７の歯数の倍数または整数の約数の単位とは異なる。
【００３６】
さらに別の変形例では、ディスプレイホイールセット７は、歯を有するホイールセットであり、角度位置の数は２つ以上であり、ディスプレイホイールセット７の歯数と互いに素である。
【００３７】
さらにより具体的には、図３および図４の例のように、ディスプレイホイールセット７の絵８は、ディスプレイホイールセット７の旋回軸に対して同じ半径方向位置にある。
【００３８】
より具体的には、シークレットサインに特有の図７の例のように、ディスプレイホイールセット７は、ディスプレイホイールセット７の旋回軸と比較して、異なる半径方向広がりの画像８を有する。
【００３９】
ディスプレイホイールセット７は、ガンギ車４であり、ガンギ車は、スイスレバー脱進機、すなわち、ガンギ車が、歯半分のステップで動く変形例では、絵８の数Ｎは、（２＊ｚ−４）と（２＊ｚ＋４）との間に有利に含まれ、ｚは、ガンギ車の歯の数である。より具体的には、絵８の数Ｎは、（２＊ｚ−１）と（２＊ｚ＋１）との間に含まれる。
【００４０】
ディスプレイホイールセット７は、ガンギ車４であり、ガンギ車は、戻り止め脱進機、すなわち、ガンギ車が、歯全体のステップで動く変形例では、絵８の数Ｎは、（ｚ−４）と（ｚ＋４）との間に有利に含まれ、ｚは、ガンギ車の歯の数である。より具体的には、絵８の数Ｎは、（ｚ−１）と（ｚ＋１）との間に含まれる。
【００４１】
有利なことに、計時器１は、絵８をシフトおよび／または拡大するための光学手段１３、および／または、絵８に自然光線または人工光線を投影するための手段１４、および／または、絵８を反射させるための手段１５を備える。
【００４２】
絵８をシフトおよび／または拡大するための光学手段１３は、少なくとも１つの拡大鏡を備え得る。より具体的には、この拡大鏡は、水晶、場合によっては透明な裏蓋、および／または、計時器１の文字盤上にある。
【００４３】
より具体的には、人工光線または自然光線を絵８に投影するための手段１４は、太陽光、レーザ光源、または別の人工光源によって照明されたアニメーションの光学投影を備える。
【００４４】
絵８を反射させるための手段１５は、より具体的には、太陽光、レーザ光源、または別の人工光源によって照明されたアニメーションの光学反射を備える。
【００４５】
より具体的には、絵８は、たとえばレーザビーム回折により、計時器１から離れた表面に画像を形成する回折絵である。
【００４６】
特に有利な光学的変形は、光ファイバをバンドルまたはストリップに束ねることに関するＰＯＦすなわちプラスチック光ファイバの使用にある。この技術により、ここでは、ディスプレイホイールセットの関連領域である、拡大する画像に比べて直径が小さいテーパ状のファイバを用いて画像を拡大でき、その直径は、観察者に近いバンドル出力で最大になる。これらの光ファイババンドルの利点は、第１に、そのコンパクト性であり、従来は、コア直径が１２０マイクロメートルから１ミリメートルであり、保護シースの直径も低減され、たとえば、１２０マイクロメートルのコアの場合は２３０マイクロメートルであり、また、たとえば、１７５マイクロメートルの直径のコアでは、４ミリメートルという非常に小さな曲率半径が許容される。これは、文字盤、ミドルケース（正面または端部）、または他の部位のいずれのように、腕時計において利用可能な任意の場所に対しても画像を容易にシフトさせることを可能とする。したがって、絵８をシフトおよび／または拡大するための光学手段１３は、少なくとも１つのこのような光ファイババンドルを備え得る。
【００４７】
絵８の選択に関する唯一の制限は、それらの小さな寸法と、読み易さに対する要件とに関する。したがって、アニメーションは、時計学の伝統的な方式で、動きのある少なくとも１匹の動物または動物の一部、または、スポーツ活動、ランニング、ダンス、スケート、あるいは１８世紀の自由な腕時計の伝統における他の活動に励む人の表現に関し得る。特に、漫画や物語やその他からの世界的に有名なキャラクタなど、あらゆる主題が取り扱われ得る。
【００４８】
図７は、文字ごとに明示され、および／または、同様に徐々に消えるシークレットサインに関する本発明の別の魅力的な実施例を示す。ホログラムを組み合わせて使用することにより、偽造防止マーキングを作成することが可能となり、特定のストロボ光の下での特定のパターンまたはパターンのシーケンスの特定の表示は、このような識別マークを識別および再現することを困難にする。
【００４９】
図８は、少なくとも地板２と、共振器１１と、時方輪列５によってガンギ車セット４に接続されたエネルギ貯蔵および分配手段３とを含む、機械式ムーブメント１０を備えたこのような計時器１、特に腕時計を例示する。共振器は、脱進機構６に関連付けられ、脱進機構６の少なくとも１つのホイールセットは、本発明によるアニメーションサポートディスプレイホイールセット７である。この計時器１、特に、この腕時計は、より具体的には、これに限定されないが、絵を見るための開口部１２、図８の場合、絵をシフトおよび／または拡大するための光学手段１３、自然光線または人工光線を絵に投影するための手段１４、および絵を反射させるための手段１５を含む。
【００５０】
特に、本発明は、典型的にはｆ＝３Ｈｚとｆ＝３０Ｈｚとの間の広い共振器周波数範囲によく適している。
【００５１】
本発明は、ディスプレイホイールセット７としてカットプレートを使用するのによく適している。言い換えれば、機能部品（歯、ハブ、アーム、およびリム）と絵８は同じプレートにある。
【００５２】
より具体的には、ディスプレイホイールセット７は、ＬＩＧＡプロセスによって作成される。
【００５３】
より具体的には、ディスプレイホイールセット７は、ＤＲＩＥプロセスによって作成される。
【００５４】
より具体的には、ディスプレイホイールセット７の表面に絵８がエッチングされる。
【００５５】
より具体的には、写真は、ディスプレイホイールセット７の表面に印刷および／またはシルクスクリーン印刷される。
【００５６】
より具体的には、ディスプレイホイールセット７は、図３に見られるように、すべての絵をホイールのアームに接続する少なくとも１つのリングを備える。
【００５７】
より具体的には、ディスプレイホイールセット７は、Ｎ個の絵８をディスプレイホイールセット７のハブに接続するＮ個の放射状アーム１６を有する。
【００５８】
より具体的には、図６のように、アニメーションは、ディスプレイホイールセット７の平面から出る動きのシルエットであり、３次元の動きの錯覚を与える。
【００５９】
本発明はまた、おのおのが、相補的な動きを表示するために、ともに結合する異なる絵またはパターンを運ぶいくつかの隣接するディスプレイホイールセット７を使用することにより、ホイールセットのいくつかは、連続してぎくしゃくして回転し、その他は、往復するぎくしゃくした動作を行う、より複雑な光学アニメーションにも適している。
【００６０】
要するに、本発明は、脱進機構の動作を使用することにより、その効率を損なうことなく、計時器のムーブメントをより複雑にすることなく、自由な視覚的アニメーションを楽しむことを可能にする。特に、これは、ガンギ車、または、アンクルレバーまたは脱進機間ホイール、またはガンギ車と噛み合う慣性フライホイール、または任意の同様なホイールセットのように、十分な角度周期を有する任意のホイールセットを装飾または修飾するために十分である。
【符号の説明】
【００６１】
１  計時器
２  地板
３  エネルギ貯蔵および分配手段
４  ガンギ車、ガンギ車セット
５  時方輪列
６  脱進機構
７  ディスプレイホイールセット
８  絵、パターン、画像
９  アンクルレバー
１０  機械式ムーブメント
１１  共振器
１２  開口部
１３  光学手段
１４  投影するための手段
１５  反射させるための手段
１６  放射状アーム
【図１】
2020085898.tif 000003
【図２】
2020085898.tif 000004
【図３】
2020085898.tif 000005
【図４】
2020085898.tif 000006
【図５】
2020085898.tif 000007
【図６】
2020085898.tif 000008
【図７】
2020085898.tif 000009
【図８】
2020085898.tif 000010
【外国語明細書】
2020085898000001.pdf